(57)【要約】  端末２０の表示部２３に表示させるコンテンツ情報のうち、表示部に表示されているコンテンツ情報の表示エリア３１を特定するための表示位置情報を端末から受信し（Ｓ５）、表示エリアにおいてユーザにより画面操作された操作位置に関する操作位置情報を端末から受信し（Ｓ５）、操作位置情報に基づき、表示部分においてユーザによる注視され注視エリア３４を特定し（Ｓ６）、注視エリアから特徴要素を抽出し（Ｓ７）、表示部に未だ表示されていないコンテンツ情報の未表示エリアを、表示位置情報から特定し（Ｓ８）、未表示エリアに含まれるコンテンツ情報の縮約情報を、特徴要素に基づき生成し（Ｓ９）、縮約情報を端末へ送信する（Ｓ１０）。
2012002209.tif 000002
【特許請求の範囲】
【請求項１】
コンテンツ情報を表示可能な表示手段と、
前記表示手段に表示させるコンテンツ情報のうち、前記表示手段に表示されている前記コンテンツ情報の表示部分を特定するための表示位置情報を取得する表示位置情報取得手段と、
前記表示部分において、ユーザにより画面操作された操作位置に関する操作位置情報を取得する操作位置情報取得手段と、
前記操作位置情報に基づき、前記表示部分においてユーザによって注視された注視部分を特定する注視部分特定手段と、
前記注視部分から特徴要素を抽出する特徴要素抽出手段と、
前記表示手段に未だ表示されていない前記コンテンツ情報の未表示部分を、前記表示位置情報から特定する未表示部分特定手段と、
前記未表示部分に含まれるコンテンツ情報を縮約した縮約情報を、前記特徴要素に基づき生成する縮約情報生成手段と、
前記縮約情報を前記表示手段に表示させる縮約情報表示手段と、
を備えた情報表示システム。
【請求項２】
請求項１に記載の情報表示システムにおいて、
前記未表示部分特定手段が、前記表示位置情報と、前記表示手段における前記コンテンツ情報の初期の表示部分を示す初期表示位置情報と、に基づき、前記未表示部分を特定することを特徴とする情報表示システム。
【請求項３】
請求項１または請求項２に記載の情報表示システムにおいて、
入力を受け付ける入力手段と、
前記入力手段の入力情報に基づき、一定時間入力が無く、再度入力がなされた場合の入力判定情報を取得する入力判定情報取得手段と、を更に備え、
前記縮約情報表示手段が、前記入力判定情報を取得した場合に、前記表示手段に表示させることを特徴とする情報表示システム。
【請求項４】
請求項１から請求項３のいずれか１項に記載の情報表示システムにおいて、
前記操作位置情報に基づき、前記表示部分または前記注視部分が変更されたか否かを判定する判定手段を更に備え、
前記表示部分または前記注視部分が変更された場合に、前記縮約情報生成手段が前記縮約情報を生成し、前記縮約情報表示手段が、前記縮約情報を表示させることを特徴とする情報表示システム。
【請求項５】
情報を表示する情報表示方法において、
表示手段に表示させるコンテンツ情報のうち、前記表示手段に表示されている前記コンテンツ情報の表示部分を特定するための表示位置情報を取得する表示位置情報取得ステップと、
前記表示部分において、ユーザにより画面操作された操作位置に関する操作位置情報を取得する操作位置情報取得ステップと、
前記操作位置情報に基づき、前記表示部分においてユーザによって注視された注視部分を特定する注視部分特定ステップと、
前記注視部分から特徴要素を抽出する特徴要素抽出ステップと、
前記表示手段に未だ表示されていない前記コンテンツ情報の未表示部分を、前記表示位置情報から特定する未表示部分特定ステップと、
前記未表示部分に含まれるコンテンツ情報の縮約情報を、前記特徴要素に基づき生成する縮約情報生成ステップと、
前記情報縮約を前記表示手段に表示させる縮約情報表示ステップと、
を有する情報表示方法。
【請求項６】
コンピュータに、
表示手段に表示させるコンテンツ情報のうち、前記表示手段に表示されている前記コンテンツ情報の表示部分を特定するための表示位置情報を取得する表示位置情報取得ステップと、
前記表示部分において、ユーザにより画面操作された操作位置に関する操作位置情報を取得する操作位置情報取得ステップと、
前記操作位置情報に基づき、前記表示部分においてユーザによって注視された注視部分を特定する注視部分特定ステップと、
前記表示手段に未だ表示されていない前記コンテンツ情報の未表示部分を、前記表示位置情報から特定する未表示部分特定ステップと、
前記注視部分から抽出した特徴要素に基づいて前記未表示部分に含まれるコンテンツ情報を縮約した縮約情報を、前記表示手段に表示させる縮約情報表示ステップと、
を実行させる情報表示プログラム。
【請求項７】
コンピュータに、
表示手段に表示させるコンテンツ情報のうち、前記表示手段に表示されている前記コンテンツ情報の表示部分を特定するための表示位置情報を取得する表示位置情報取得ステップと、
前記表示部分において、ユーザにより画面操作された操作位置に関する操作位置情報を取得する操作位置情報取得ステップと、
前記操作位置情報に基づき、前記表示部分においてユーザによって注視された注視部分を特定する注視部分特定ステップと、
前記表示手段に未だ表示されていない前記コンテンツ情報の未表示部分を、前記表示位置情報から特定する未表示部分特定ステップと、
前記注視部分から抽出した特徴要素に基づいて前記未表示部分に含まれるコンテンツ情報を縮約した縮約情報を、前記表示手段に表示させる縮約情報表示ステップと、
を実行させる情報表示プログラムであって、
前記情報表示プログラムがコンピュータ読み取り可能に記録されている記録媒体。
【請求項８】
端末の表示部に表示させるコンテンツ情報のうち、前記表示部に表示されている前記コンテンツ情報の表示部分を特定するための表示位置情報を前記端末から受信する表示位置情報受信手段と、
前記表示部分において、ユーザにより画面操作された操作位置に関する操作位置情報を前記端末から受信する操作位置情報受信手段と、
前記操作位置情報に基づき、前記表示部分においてユーザによって注視された注視部分を特定する注視部分特定手段と、
前記注視部分から特徴要素を抽出する特徴要素抽出手段と、
前記表示部に未だ表示されていない前記コンテンツ情報の未表示部分を、前記表示位置情報から特定する未表示部分特定手段と、
前記未表示部分に含まれるコンテンツ情報を縮約した縮約情報を、前記特徴要素に基づき生成する縮約情報生成手段と、
前記縮約情報を前記端末へ送信する縮約情報送信手段と、
を備えた情報提供装置。
【請求項９】
表示部に表示させるコンテンツ情報のうち、前記表示部に表示されている前記コンテンツ情報の表示部分を特定するための表示位置情報を取得する表示位置情報取得手段と、
前記表示部分において、ユーザにより画面操作された操作位置に関する操作位置情報を、操作部から取得する操作位置情報取得手段と、
前記操作位置情報に基づき、前記表示部分においてユーザによって注視された注視部分を特定する注視部分特定手段と、
前記注視部分から特徴要素を抽出する特徴要素抽出手段と、
前記表示部に未だ表示されていない前記コンテンツ情報の未表示部分を、前記表示位置情報から特定する未表示部分特定手段と、
前記未表示部分に含まれるコンテンツ情報を縮約した縮約情報を、前記特徴要素に基づき生成する縮約情報生成手段と、
前記縮約情報を前記表示部に表示させる縮約情報表示手段と、
を備えた情報表示装置。
【発明の詳細な説明】
【技術分野】
【０００１】
本発明は、Ｗｅｂページ等を縮約した情報を提供する情報表示システム、情報表示装置、情報表示方法、情報表示プログラム、情報提供装置、および、記録媒体の技術分野に関する。
【背景技術】
【０００２】
端末の表示画面上で一度に表示ができないサイズを有するＷｅｂページの場合、キーボードやマウス等の操作部によりスクロールして、Ｗｅｂページを見る必要がある。このような場合、ユーザの利便性を高めるために、自動スクロール等の技術が開発されている。例えば、特許文献１には、データの自動スクロールに連動して、カーソルポインタを自動スクロールによって更新された画面内のデータ上に自動的に移動させるカーソルポインタ処理プログラムが開示されている。
【先行技術文献】
【特許文献】
【０００３】
【特許文献１】特開２００４−３２６６８７号公報
【発明の概要】
【発明が解決しようとする課題】
【０００４】
しかしながら、上記技術では、Ｗｅｂページ上で見ている箇所と同じ内容や、関連した内容を探したい場合、次々にスクロールをして探して、内容を逐次確認していく必要があった。【０００５】
本発明は、このような問題に鑑みてなされたものであり、その課題の一例は、画面内に収まらない分量のコンテンツ情報がある場合、画面内に表示されていない部分において、表示されている部分と関連した内容の箇所を容易に確認できる情報表示システム、情報表示装置、情報表示方法、情報表示プログラム、情報提供装置、および、記録媒体を提供することを目的とする。
【課題を解決するための手段】
【０００６】
上記課題を解決するために、請求項１に記載の発明は、コンテンツ情報を表示可能な表示手段と、前記表示手段に表示させるコンテンツ情報のうち、前記表示手段に表示されている前記コンテンツ情報の表示部分を特定するための表示位置情報を取得する表示位置情報取得手段と、前記表示部分において、ユーザにより画面操作された操作位置に関する操作位置情報を取得する操作位置情報取得手段と、前記操作位置情報に基づき、前記表示部分においてユーザによって注視された注視部分を特定する注視部分特定手段と、前記注視部分から特徴要素を抽出する特徴要素抽出手段と、前記表示手段に未だ表示されていない前記コンテンツ情報の未表示部分を、前記表示位置情報から特定する未表示部分特定手段と、前記未表示部分に含まれるコンテンツ情報を縮約した縮約情報を、前記特徴要素に基づき生成する縮約情報生成手段と、前記縮約情報を前記表示手段に表示させる縮約情報表示手段と、を備える。【０００７】
請求項２に記載の発明は、請求項１に記載の情報表示システムにおいて、前記未表示部分特定手段が、前記表示位置情報と、前記表示手段における前記コンテンツ情報の初期の表示部分を示す初期表示位置情報と、に基づき、前記未表示部分を特定することを特徴とする。【０００８】
請求項３に記載の発明は、請求項１または請求項２に記載の情報表示システムにおいて、入力を受け付ける入力手段と、前記入力手段の入力情報に基づき、一定時間入力が無く、再度入力がなされた場合の入力判定情報を取得する入力判定情報取得手段と、を更に備え、前記縮約情報表示手段が、前記入力判定情報を取得した場合に、前記表示手段に表示させることを特徴とする。【０００９】
請求項４に記載の発明は、請求項１から請求項３のいずれか１項に記載の情報表示システムにおいて、前記操作位置情報に基づき、前記表示部分または前記注視部分が変更されたか否かを判定する判定手段を更に備え、前記表示部分または前記注視部分が変更された場合に、前記縮約情報生成手段が前記縮約情報を生成し、前記縮約情報表示手段が、前記縮約情報を表示させることを特徴とする。【００１０】
請求項５に記載の発明は、情報を表示する情報表示方法において、表示手段に表示させるコンテンツ情報のうち、前記表示手段に表示されている前記コンテンツ情報の表示部分を特定するための表示位置情報を取得する表示位置情報取得ステップと、前記表示部分において、ユーザにより画面操作された操作位置に関する操作位置情報を取得する操作位置情報取得ステップと、前記操作位置情報に基づき、前記表示部分においてユーザによって注視された注視部分を特定する注視部分特定ステップと、前記注視部分から特徴要素を抽出する特徴要素抽出ステップと、前記表示手段に未だ表示されていない前記コンテンツ情報の未表示部分を、前記表示位置情報から特定する未表示部分特定ステップと、前記未表示部分に含まれるコンテンツ情報の縮約情報を、前記特徴要素に基づき生成する情報縮約生成ステップと、前記縮約情報を前記表示手段に表示させる縮約情報表示ステップと、を有する。【００１１】
請求項６に記載の発明は、コンピュータに、表示手段に表示させるコンテンツ情報のうち、前記表示手段に表示されている前記コンテンツ情報の表示部分を特定するための表示位置情報を取得する表示位置情報取得ステップと、前記表示部分において、ユーザにより画面操作された操作位置に関する操作位置情報を取得する操作位置情報取得ステップと、前記操作位置情報に基づき、前記表示部分においてユーザによって注視された注視部分を特定する注視部分特定ステップと、前記表示手段に未だ表示されていない前記コンテンツ情報の未表示部分を、前記表示位置情報から特定する未表示部分特定ステップと、前記注視部分から抽出した特徴要素に基づいて前記未表示部分に含まれるコンテンツ情報を縮約した縮約情報を、前記表示手段に表示させる縮約情報表示ステップと、を実行させる。【００１２】
請求項７に記載の発明は、コンピュータに、表示手段に表示させるコンテンツ情報のうち、前記表示手段に表示されている前記コンテンツ情報の表示部分を特定するための表示位置情報を取得する表示位置情報取得ステップと、前記表示部分において、ユーザにより画面操作された操作位置に関する操作位置情報を取得する操作位置情報取得ステップと、前記操作位置情報に基づき、前記表示部分においてユーザによって注視された注視部分を特定する注視部分特定ステップと、前記表示手段に未だ表示されていない前記コンテンツ情報の未表示部分を、前記表示位置情報から特定する未表示部分特定ステップと、前記注視部分から抽出した特徴要素に基づいて前記未表示部分に含まれるコンテンツ情報を縮約した縮約情報を、前記表示手段に表示させる縮約情報表示ステップと、を実行させる情報表示プログラムであって、前記情報表示プログラムがコンピュータ読み取り可能に記録されている。【００１３】
請求項８に記載の発明は、端末の表示部に表示させるコンテンツ情報のうち、前記表示部に表示されている前記コンテンツ情報の表示部分を特定するための表示位置情報を前記端末から受信する表示位置情報受信手段と、前記表示部分において、ユーザにより画面操作された操作位置に関する操作位置情報を前記端末から受信する操作位置情報受信手段と、前記操作位置情報に基づき、前記表示部分においてユーザによって注視された注視部分を特定する注視部分特定手段と、前記注視部分から特徴要素を抽出する特徴要素抽出手段と、前記表示部に未だ表示されていない前記コンテンツ情報の未表示部分を、前記表示位置情報から特定する未表示部分特定手段と、前記未表示部分に含まれるコンテンツ情報を縮約した縮約情報を、前記特徴要素に基づき生成する縮約情報生成手段と、前記縮約情報を前記端末へ送信する縮約情報送信手段と、を備える。【００１４】
請求項９に記載の発明は、表示部に表示させるコンテンツ情報のうち、前記表示部に表示されている前記コンテンツ情報の表示部分を特定するための表示位置情報を取得する表示位置情報取得手段と、前記表示部分において、ユーザにより画面操作された操作位置に関する操作位置情報を、操作部から取得する操作位置情報取得手段と、前記操作位置情報に基づき、前記表示部分においてユーザによって注視された注視部分を特定する注視部分特定手段と、前記注視部分から特徴要素を抽出する特徴要素抽出手段と、前記表示部に未だ表示されていない前記コンテンツ情報の未表示部分を、前記表示位置情報から特定する未表示部分特定手段と、前記未表示部分に含まれるコンテンツ情報を縮約した縮約情報を、前記特徴要素に基づき生成する縮約情報生成手段と、前記縮約情報を前記表示部に表示させる縮約情報表示手段と、を備える。
【発明の効果】
【００１５】
本発明によれば、表示手段に表示されているコンテンツ情報の表示部分を特定するための表示位置情報、および、表示部分においてユーザにより画面操作された操作位置に関する操作位置情報を取得し、操作位置情報に基づき、表示部分においてユーザによって注視された注視部分を特定し、注視部分から特徴要素を抽出し、表示手段に未だ表示されていないコンテンツ情報の未表示部分を、表示位置情報から特定し、未表示部分に含まれるコンテンツ情報の縮約情報を、特徴要素に基づき生成することにより、画面内に収まらない分量のコンテンツ情報がある場合、画面内に表示されていない部分において、ユーザによって注視された部分と関連した内容を容易に確認できる。
【図面の簡単な説明】
【００１６】
【図１】本発明の一実施形態に係る情報表示システムの概要構成例を示す模式図である。
【図２】図１の情報提供サーバの概要構成の一例を示すブロック図である。
【図３】図１の端末の概要構成の一例を示すブロック図である。
【図４】図１の情報提供サーバが提供するコンテンツ情報の一例を示す模式図である。
【図５】図１の情報表示システムにおいて縮約情報を表示する動作例を示すシーケンス図である。
【図６】図１の端末に表示されているコンテンツ情報の一例を示す模式図である。
【図７】図１の端末に縮約情報を表示するための画面の一例を示す模式図である。
【図８】図１の端末に表示された縮約情報の一例を示す模式図である。
【図９】図１の端末に表示された縮約情報の変形例を示す模式図である。
【図１０】図１の端末に表示された縮約情報の変形例を示す模式図である。
【図１１】図１の情報提供サーバが提供するコンテンツ情報の変形例を示す模式図である。
【図１２】図１の情報提供サーバが提供するコンテンツ情報の変形例を示す模式図である。
【図１３】図１の情報表示システムにおいて縮約情報を表示する動作の変形例を示すシーケンス図である。
【図１４】図６のコンテンツ情報における注視エリアの変形例を示す模式図である。
【発明を実施するための形態】
【００１７】
以下、図面を参照して本発明の実施形態について説明する。
【００１８】
［１．情報表示システムの構成および機能概要］
【００１９】
まず、本発明の一実施形態に係る情報表示システムの構成および概要機能について、図１を用いて説明する。
図１は、本実施形態に係る情報表示システムの概要構成例を示す模式図である。
【００２０】
図１に示すように、情報表示システム１は、例えば、Ｗｅｂページ等のコンテンツの配信やＷｅｂページを縮約した情報（例えば、要約等）を提供する情報提供サーバ（情報提供装置の一例）１０と、インターネット上のＷｅｂページを閲覧するユーザの端末２０（情報表示装置の一例）と、を備えている。
【００２１】
情報提供サーバ１０と、端末２０とは、ネットワーク３により接続され、通信プロトコル（例えば、ＴＣＰ／ＩＰ）により、データの送受信が可能になっている。なお、ネットワーク３は、例えば、インターネット、専用通信回線（例えば、ＣＡＴＶ（Community Antenna Television）回線）、移動体通信網（基地局等を含む）、および、ゲートウェイ等により構築されている。
【００２２】
情報提供サーバ１０は、端末２０に送信したコンテンツ情報のうち、端末２０の表示部に表示されているコンテンツ情報の表示部分を特定するための表示位置情報を端末２０から受信する。そして、情報提供サーバ１０は、表示位置情報に基づき、表示部分に表示されていないコンテンツ情報の要約情報等の縮約情報を生成し、端末２０に送信する。
【００２３】
［２．サーバ等の構成および機能］
（２．１  情報提供サーバ１０の構成および機能）
次に、情報提供サーバ１０の構成および機能について、図２を用いて説明する。
図２は、情報提供サーバ１０の概要構成の一例を示すブロック図である。
【００２４】
図２に示すように、コンピュータとして機能する情報提供サーバ１０は、通信部１１と、記憶部１２と、入出力インターフェース部１３と、システム制御部１４を備えている。そして、システム制御部１４と入出力インターフェース部１３とは、システムバス１５を介して接続されている。
【００２５】
通信部１１は、ネットワーク３に接続して端末２０等との通信状態を制御し、さらに、ローカルエリアネットワークに接続して、ローカルエリアネットワーク上のサーバとデータの送受信を行う。
【００２６】
記憶部１２は、例えば、ハードディスクドライブ等により構成されており、オペレーティングシステムおよびサーバプログラムや、端末２０等にダウンロードして実行させるプログラム等の各種プログラムや、データ等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００２７】
また、記憶部１２は、コンテンツデータベース（以下「コンテンツＤＢ」とする。）１２ａや、縮約情報データベース（以下「縮約情報ＤＢ」とする。）１２ｂ等を有している。
【００２８】
コンテンツＤＢ１２ａには、ＨＴＭＬ（HyperText Markup Language）、ＸＭＬ（Extensible Markup Language）等のマークアップ言語等により記述されたＷｅｂページのファイル等が記憶されている。また、コンテンツＤＢ１２ａには、Ｗｅｂページに関する情報として、テキストデータや、画像データや、動画データ等が記憶されている。
【００２９】
縮約情報ＤＢ１２ｂには、Ｗｅｂページに関する情報を要約した要約情報等の縮約情報が記憶される。ここで、Ｗｅｂページに関する情報の縮約情報として、要約情報の他に、Ｗｅｂページから抜粋した部分や、Ｗｅｂページを縮小した表示等が挙げられる。
【００３０】
なお、記憶部１２に記憶されたＷｅｂページの一部には、情報表示プログラムの一例として、端末２０におけるＷｅｂページの操作情報を情報提供サーバ１０に送信したり、情報提供サーバ１０から縮約情報を取得して表示させたりするスクリプト等が埋め込まれている。
【００３１】
このスクリプトは、例えば公知のＪａｖａＳｃｒｉｐｔ等によって記述されているがこれに限定されることはなく、任意に選択することができる。また、これらのスクリプトの詳細については、公知技術であるため詳しい説明は省略する。
【００３２】
次に、入出力インターフェース部１３は、通信部１１および記憶部１２とシステム制御部１４との間のインターフェース処理を行う。
【００３３】
システム制御部１４は、ＣＰＵ（Central Processing Unit）１４ａ、ＲＯＭ（Read Only Memory）１４ｂ、ＲＡＭ（Random Access Memory）１４ｃ等により構成されている。システム制御部１４は、ＣＰＵ１４ａがＲＯＭ１４ｂや記憶部１２に記憶された各種プログラムを読み出し実行することにより、端末２０等からの要求に基づき、Ｗｅｂページの送信処理等を行う。
【００３４】
（２．２  端末２０の構成および機能）
【００３５】
次に、端末２０の構成および機能について、図３を用いて説明する。
図３は、端末２０の概要構成の一例を示すブロック図である。
【００３６】
図３に示すように、コンピュータとして機能する端末２０は、例えば、パーソナルコンピュータや携帯型無線電話機やＰＤＡ等の携帯端末であり、通信部２１と、記憶部２２と、表示部２３と、操作部２４と、入出力インターフェース部２５と、システム制御部２６とを備えている。そして、システム制御部２６と入出力インターフェース部２５とは、システムバス２７を介して接続されている。
【００３７】
通信部２１は、ネットワーク３を通して、情報提供サーバ１０等と通信を制御する。なお、端末２０が携帯型無線電話機の場合、ネットワーク３の移動体通信網に接続するために、通信部２１は、無線通信機能を有する。
【００３８】
記憶部２２は、例えば、ハードディスクドライブ等からなり、オペレーティングシステム、Ｗｅｂブラウザプログラム等を記憶する。また、記憶部２２には、操作部２４によるスクロールの動きや、表示部２３上を移動するポインタの動きが記憶される。なお、各種プログラムは、例えば、ネットワーク３を介して取得されるようにしてもよいし、記録媒体に記録されてドライブ装置を介して読み込まれるようにしてもよい。
【００３９】
表示部２３（表示手段の一例）は、例えば、液晶表示素子またはＥＬ（Electro Luminescence）素子等によって構成されている。表示部２３には、マウスの操作により移動するポインタや、情報提供サーバ１０から取得したＷｅｂページ等が表示される。
【００４０】
操作部２４（入力手段の一例）は、例えば、キーボードおよびマウス等によって構成されている。なお、表示部２３がタッチパネルのようなタッチスイッチ方式の表示パネルの場合、操作部２４は、表示部２３の画面が押された箇所の位置情報を取得する。なお、入力手段の一例として、カメラ等の撮像手段やセンサあってもよい。
【００４１】
入出力インターフェース部２５は、通信部２１および記憶部２２とシステム制御部２６とのインターフェースである。
【００４２】
システム制御部２６は、例えば、ＣＰＵ２６ａと、ＲＯＭ２６ｂと、ＲＡＭ２６ｃとを有する。システム制御部２６は、ＣＰＵ２６ａが、ＲＯＭ２６ｂや、ＲＡＭ２６ｃや、記憶部２２に記憶された各種プログラムを読み出して実行する場合や、Ｗｅｂページのスクリプトを実行することにより、要約情報等の縮約情報を表示部２３に表示させる。また、ＲＡＭ２６ｃ等には、コンテンツ情報を表示部２３に表示させるためのグラフィック領域が形成される。
【００４３】
［３．情報表示システム１の動作］
次に、本発明の一実施形態に係る情報表示システム１の動作について図４〜図８に基づき説明する。
【００４４】
図４は、情報提供サーバ１０が提供するコンテンツ情報の一例を示す模式図である。図５は、情報表示システム１において縮約情報を表示する動作例を示すシーケンス図である。図６は、端末２０に表示されているコンテンツ情報の一例を示す模式図である。図７は、端末２０に縮約情報を表示するための画面の一例を示す模式図である。図８は、端末２０に表示された縮約情報の一例を示す模式図である。
【００４５】
まず、端末２０は、情報提供サーバ１０からコンテンツ情報を受信する。図４に示すように、このコンテンツ情報３０（表示部２３に表示させるコンテンツ情報の一例）は、端末２０の表示部２３の画面内に収まらない分量の情報量を有する。コンテンツ情報３０は、Ｗｅｂブラウザ４０の画面内に表示される表示エリア３１（表示部分の一例）と、既表示エリア３２（非表示部分の一例）と、未表示エリア３３（非表示部分の一例）とに分かれる。
【００４６】
表示エリア３１は、Ｙの座標が、Ｙ１〜Ｙ２のエリアである。既表示エリア３２は、Ｙの座標が、０〜Ｙ１のエリアであり、Ｗｅｂブラウザ４０の画面内に既に表示されたエリアで、ユーザのスクロール等の操作により、Ｗｅｂブラウザ４０の画面内に現在表示されていないエリアである。未表示エリア３３は、Ｙの座標が、Ｙ２〜Ｙmaxのエリアであり、Ｗｅｂブラウザ４０の画面内に未だ表示されていないエリアである。また、既表示エリア３２および未表示エリア３３は、Ｗｅｂブラウザ４０の画面内に現在表示されていない非表示エリア（非表示部分の一例）である。
【００４７】
なお、図４に示す状態は、ユーザが操作部２４によりＹ方向にスクロールして、コンテンツ情報３０の一部を、表示部２３に表示されたＷｅｂブラウザ４０の画面内に表示させている状態を示している。すなわち、図４に示す状態は、コンテンツ情報３０におけるＹ＝０の状態からＹ＝Ｙ１の状態まで、画面をスクロールさせた状態である。また、コンテンツ情報が表示部２３においてＸ方向にスクロールされる場合は、Ｘ方向の位置座標が、表示位置情報となる。
【００４８】
図５に示すように、端末２０は、注視エリア（表示部分においてユーザによって注視された注視部分の一例）を特定するための操作位置情報の測定・記憶を行う（ステップＳ１）。具体的に、端末２０のシステム制御部２６は、図６に示すように、ユーザの操作部２４によるＷｅｂブラウザ４０の表示エリア３１におけるスクロールの動きや、表示部２３上を移動するポインタ４５の軌跡４５ａ等の操作位置情報を測定し、記憶部２２に記憶する。このように、端末２０のシステム制御部２６は、表示部分（表示エリア３１）において、ユーザにより画面操作（スクロール、ポインタの移動、クリック、ピンチイン、ピンチアウト等）された操作位置に関する操作位置情報を取得する操作位置情報取得手段の一例として機能する。
【００４９】
次に、端末２０は、縮約表示のトリガを取得する（ステップＳ２）。具体的に、端末２０のシステム制御部２６は、操作部２４のマウスの右クリック等の信号を受信し、図７に示すように、Ｗｅｂブラウザ４０に、表示エリア３１のコンテンツ上にメニュー表示枠４６を表示させる。メニュー表示枠４６の中には、縮約情報を表示させるための”要約を表示”、”抜粋を表示”、および、”縮小の表示”が表示される。メニュー表示枠４６の”要約を表示”が選択されと、端末２０のシステム制御部２６は、縮約表示のトリガの一例として、要約表示のトリガを取得する。なお、端末２０のシステム制御部２６は、”抜粋を表示”が選択されると、抜粋表示のトリガを取得し、”縮小の表示”が選択されると、縮小表示のトリガを取得する。
【００５０】
次に、端末２０は、表示エリア情報を取得する（ステップＳ３）。具体的に、端末２０のシステム制御部２６は、コンテンツ情報３０の表示エリア情報を取得するため、コンテンツ情報３０がＷｅｂブラウザ４０に表示されている表示エリア３１のＹ方向の位置座標（Ｙ１、Ｙ２）を取得する。さらに具体的には、端末２０のシステム制御部２６は、ＲＡＭ２６ｃのグラフィック領域の情報等から、コンテンツ情報３０の表示エリア３１の位置座標を表示位置情報の一例として取得する。このように、端末２０のシステム制御部２６は、コンテンツ情報３０のうち、表示部２３に表示されている表示エリア３１を特定するための表示位置情報を取得する。ここで、図４に示すように、Ｙ２−Ｙ１は、表示部２３上に開かれているＷｅｂブラウザ４０のＹ方向の表示幅Ｙｗである。
【００５１】
次に、端末２０のシステム制御部２６は、ユーザにより画面操作された操作位置に関する操作位置情報を決定する。例えば、記憶部２２に記憶されていた、Ｗｅｂブラウザ４０におけるスクロールの動きの情報や、ポインタ４５の動きの軌跡４５ａの情報から、表示エリア３１において注視された注視エリア３４を特定するための操作位置情報を決定する。端末２０のシステム制御部２６は、例えば、スクロールが止まったところや、スクロールの方向が変わったところ等でのＹの値（例えば、Ｙ＝Ｙａ、Ｙ＝Ｙｂ）や、ポインタ４５の位置の情報等を、操作位置情報とする。なお、ポインタ４５の位置の情報として、例えば、ポインタ４５の軌跡４５ａのＸ-Ｙ方向の最大値、最小値や、軌跡４５ａの折り返した位置や、ポインタ４５の滞在時間が長い点等の軌跡４５ａの特徴点が挙げられる。また、ステップＳ１において、スクロールが止まったときや、スクロールの方向が変わったとき等に、Ｙの値やポインタ４５の位置の情報を記憶部２２に記憶してもよい。また、図４に示すように、注視エリアが、表示部分として、既に表示された既表示エリア３２において注視された注視エリア３４Ｂの場合もある。
【００５２】
次に、端末２０は、表示エリア・注視エリアの情報を送信する（ステップＳ４）。具体的に、端末２０のシステム制御部２６は、通信部２１を通して、コンテンツ情報３０の表示エリア３１のＹ方向の位置座標（Ｙ１、Ｙ２）や、注視エリア３４のＹ方向の位置座標（Ｙａ、Ｙｂ）等の注視エリアを特定するための操作位置情報を情報提供サーバ１０に送信する。
【００５３】
次に、情報提供サーバ１０は、表示エリア・注視エリアの情報を受信する（ステップＳ５）。具体的に、情報提供サーバ１０のシステム制御部１４は、端末２０の表示部２３に表示されているコンテンツ情報３０の表示エリア３１を特定するための表示位置情報や、表示エリア３１においてユーザにより画面操作された操作位置に関する操作位置情報の一例として、表示エリア３１のＹ方向の位置座標（Ｙ１、Ｙ２）や注視エリア３４のＹ方向の位置座標（Ｙａ、Ｙｂ）等を端末２０から受信する。
【００５４】
次に、情報提供サーバ１０は、注視エリアを特定する（ステップＳ６）。具体的に、情報提供サーバ１０のシステム制御部１４は、Ｙ方向の位置座標（Ｙａ、Ｙｂ）のような操作位置情報から、注視エリア３４を特定する。さらに、情報提供サーバ１０のシステム制御部１４は、図６に示すように、ポインタ４５の軌跡４５ａのＸ-Ｙ方向の最大値や最小値等に基づき、注視エリア３４ａを特定してもよい。
【００５５】
次に、情報提供サーバ１０は、注視エリアから特徴要素を抽出する（ステップＳ７）。具体的に、情報提供サーバ１０のシステム制御部１４は、注視エリア３４や注視エリア３４ａのコンテンツから、特徴要素（注視部分内のコンテンツの特徴的な要素）の一例として、文章や語句等のテキスト情報や画像情報等を抽出する。このとき、情報提供サーバ１０のシステム制御部１４は、コンテンツ情報３０に既存の自動要約生成の手法を適用して、特徴要素を抽出したり、注視エリア３４のコンテンツにおける単語の出現頻度と逆出現頻度等のように、特徴要素を抽出するための所定のアルゴリズムにより特徴要素を抽出したりする。また、情報提供サーバ１０のシステム制御部１４は操作位置情報に基づき、ポインタ４５の滞在時間が長かった付近の語句や画像等を、特徴要素としてもよい。
【００５６】
次に、情報提供サーバ１０は、未表示エリア（未表示部分の一例）を特定する（ステップＳ８）。具体的に、情報提供サーバ１０のシステム制御部１４は、表示部２３に表示されていないコンテンツ情報３０の既表示エリア３２および未表示エリア３３（非表示エリア３２、３３）を、表示エリア３１の位置座標（Ｙ１、Ｙ２）と、コンテンツ情報３０の位置座標（０、Ｙmax）から特定する。さらに具体的には、情報提供サーバ１０のシステム制御部１４は、既表示エリア３２の位置情報として位置座標（０、Ｙ１）、未表示エリア３３の位置情報として位置座標（Ｙ２、Ｙmax）を特定する。
【００５７】
そして、情報提供サーバ１０のシステム制御部１４は、表示部２３に未だ表示されていないコンテンツ情報の未表示エリアとして、未表示エリア３３を特定する。これは、ユーザがＹ＝０から順にスクロールして行く場合が通常であり、コンテンツ情報の未表示エリア３３が、未だ表示されていないと想定されるからである。
【００５８】
ここで、情報提供サーバ１０のシステム制御部１４は、未表示エリア３３の位置座標（Ｙ２、Ｙmax）に関しては、表示エリア３１の位置座標（Ｙ１、Ｙ２）と、表示部２３におけるコンテンツ情報３０の初期の表示エリアを示す初期表示位置情報の一例の初期位置座標（０、Ｙｗ）と、に基づき、未表示エリア３３を特定する。
【００５９】
次に、情報提供サーバ１０は、特徴要素に基づき、未表示エリアのコンテンツを要約する（ステップＳ９）。具体的に、情報提供サーバ１０のシステム制御部１４は、未表示エリア３３において、特徴要素が含まれるテキスト情報や画像情報の部分を抽出して、その部分を要約して要約情報を生成したり、特徴要素が含まれるテキスト情報や画像情報の所定量を抽出し、抜粋を生成したり、未表示エリア３３において特徴要素が存在する付近の縮小画像を生成したりする。このように、情報提供サーバ１０のシステム制御部１４は、要約情報、抜粋、縮小画像のような縮約情報を生成するための所定のアルゴリズムにより、未表示エリアのコンテンツの縮約情報を生成する。なお、情報提供サーバ１０のシステム制御部１４は、未表示エリア３３において、特徴要素に類似のテキスト情報や画像情報を特定し、要約情報、縮小画像等の縮約情報を生成してもよい。
【００６０】
または、情報提供サーバ１０のシステム制御部１４は、未表示エリアのコンテンツ情報３０を所定の単位に分割して、各単位の要約情報、縮小表示等の縮約情報を求め、特徴要素に最も近い内容の要約情報等の縮約情報を、端末２０に表示させる縮約情報としてもよい。また、情報提供サーバ１０のシステム制御部１４は、特徴要素が画像の場合、例えば、画像の注釈（ＡＬＴタグの情報）に記述されたテキストを特徴要素とし、この特徴要素に基づき未表示エリアから要約情報等の縮約情報を生成する。また、画像そのものを特徴要素とした場合には、情報提供サーバ１０のシステム制御部１４は、特徴要素の画像のサイズ、色等の画像の特徴と、類似の特徴を有する画像を未表示エリアのコンテンツから抽出し、縮約情報としてもよい。
【００６１】
次に、情報提供サーバ１０は、縮約情報を送信する（ステップＳ１０）。具体的に、情報提供サーバ１０のシステム制御部１４は、通信部１１を通して、要約情報等の縮約情報を端末２０に送信する。そして、端末２０のシステム制御部２６は、通信部２１を通して、要約情報等の縮約情報を情報提供サーバ１０から受信する。
【００６２】
次に、端末２０は、縮約情報を表示する（ステップＳ１１）。具体的に、図８に示すように、端末２０のシステム制御部２６は、Ｗｅｂブラウザ４０の画面に、表示エリア３１のコンテンツ上に開かれた要約表示枠４１に、縮約情報の一例の要約情報３５を表示する。なお、要約情報３５にはリンクが張られていて、操作部２４のマウス等によりクリックされると、端末２０のシステム制御部２６は、Ｗｅｂブラウザ４０の画面をスクロールし、要約情報３５に対応したコンテンツ情報３０が記載されている箇所に移動させる。また、メニュー表示枠４６で、”抜粋を表示”が指定された場合、Ｗｅｂページにおいて、特徴要素を含む部分の抜粋が表示される。また、メニュー表示枠４６で、”縮小の表示”が指定された場合、Ｗｅｂページの画面情報を縮小した縮小表示が表示される。
【００６３】
以上、本実施形態によれば、コンテンツ情報３０の表示エリア３１を特定するための表示位置情報、および、表示エリア３１において注視された注視エリア３４や、既表示エリア３２において注視された注視エリア３４Ｂを特定するための操作位置情報を端末２０から受信し、操作位置情報に基づき、注視エリア３４、３４Ｂを特定し、注視エリア３４、３４Ｂから特徴要素を抽出し、表示部２３に未だ表示されていないコンテンツ情報の未表示エリア３３を表示位置情報から特定し、未表示エリア３３に含まれるコンテンツ情報の要約情報等の縮約情報を、特徴要素に基づき生成し、要約情報等の縮約情報を端末２０へ送信することにより、画面内に収まらない分量のコンテンツ情報がある場合、画面内に表示されていない部分において、表示されている部分と関連した内容の箇所を容易に確認できる。また、本実施形態によれば、未表示エリア３３のように表示されていない部分の情報を確認できる。
【００６４】
また、本実施形態によれば、単に見ていない部分（未表示エリア３３）を全て要約したり、全てを縮小等したりするのではなく、見た部分（注視エリア３４、３４ａ、３４Ｂ）と関連のある部分を要約したり、縮小等したりして表示させることができ、ユーザが関心を示すであろう箇所にユーザをより効率的に導くことができ、ユーザの利便性を高めることができる。
【００６５】
また、表示位置情報（例えば、位置座標（Ｙ１、Ｙ２））と、表示部２３におけるコンテンツ情報の初期の表示エリアを示す初期表示位置情報（例えば、初期表示位置情報（０、Ｙｗ））と、に基づき、未表示エリア３３を特定する場合、情報提供サーバ１０のシステム制御部１４は、ユーザが、読んでない部分を容易に特定し、未だ読んでいない部分のみを要約したり縮小等したりすることで、ユーザに先のページ等のコンテンツ情報の見通しを与えることができ、ユーザが関心を示すであろう箇所にユーザをより効率的に導くことができ、ユーザの利便性を高めることができる。
【００６６】
なお、端末２０のシステム制御部２６は、注視エリアとして、矩形選択された領域や、ユーザのフリーハンドによりポインタ４５や画面に対するタッチ等の軌跡で囲まれた領域でもよい。軌跡で囲まれた領域の場合、注視エリアは、この領域を含む矩形領域でもよい。また、端末２０のシステム制御部２６は、Ｗｅｂブラウザ４０の画面内において、所定時間以上、ポインタが滞在した位置（滞在点）の近傍や、マウスのクリックのボタンが押された位置の近傍を、注視エリアとしてもよい。特に、タッチパネルの場合、端末２０のシステム制御部２６は、タッチパネルにおいて入力があった位置、例えば、タッチされた位置、ピンチインまたはピンチインされた部分の近傍を注視エリアとしてもよい。
【００６７】
操作位置情報は、矩形選択された領域の場合、四隅の座標、フリーハンドにより囲まれた領域の場合、この領域を含む矩形の四隅の座標でもよい。また、操作位置情報は、ポインタが滞在した位置の座標や、クリックのボタンが押された位置の座標、タッチパネルにおいて入力があった位置の座標でもよい。さらに、操作位置情報は、軌跡のデータ自体でもよい。
【００６８】
次に、端末２０の表示部２３に表示される縮約情報の変形例について、図９および図１０を用いて説明する。
【００６９】
図９は、端末２０に表示された縮約情報の変形例を示す模式図である。図１０は、端末２０に表示された縮約情報の変形例を示す模式図である。
【００７０】
図９に示すように、Ｗｅｂブラウザ４０の要約表示枠４１に画像データ３６ａを含む要約情報３６を表示してもよい。図１０に示すように、Ｗｅｂブラウザ４０のタイトルバー４２に、要約情報３７を表示してもよい。
【００７１】
次に、図１０に示すように、Ｗｅｂブラウザ４０の要約表示枠４１に、第１の要約情報３５と、第２の要約情報３８とを示してもよい。第１の要約情報３５と、第２の要約情報３８との順は、コンテンツ情報３０に記載されている順であるとすると、未表示エリア３３における、コンテンツ情報３０の内容をより把握しやすくなる。
【００７２】
次に、コンテンツ情報の変形例について、図１１を用いて説明する。
図１１は、情報提供サーバ１０が提供するコンテンツ情報の変形例を示す模式図である。
【００７３】
図１１に示すように、ＷｅｂページがＷｅｂページ５１、Ｗｅｂページ５２と遷移してきたとき、Ｗｅｂページ５２から遷移可能なＷｅｂページ５３、５４、５５を含めたＷｅｂページ５１〜５５のコンテンツ情報５０を、画面内に収まらない分量のコンテンツ情報としてもよい。Ｗｅｂページ５２が表示エリアに対応し、マウスのクリック等によって表示されなくなった部分の情報のＷｅｂページ５１が、既表示エリアに対応し、Ｗｅｂページ５３、５４、５５が未表示エリアに対応する。この場合、情報提供サーバ１０のシステム制御部１４は、例えば、コンテンツＤＢ１２ａを参照して、表示部２３に未だ表示されていないコンテンツ情報の未表示エリアを特定する。なお、表示エリアや、既表示エリアおよび未表示エリア等の非表示エリアを特定するに際し、情報提供サーバ１０のシステム制御部１４は、クッキー（Cookie）等から取得した閲覧履歴を用いてもよいし、情報提供サーバ１０が備える図示しない閲覧履歴ＤＢから抽出した閲覧履歴を用いてもよい。
【００７４】
なお、コンテンツ情報の一例として、ワードプロセッサーや表計算等のアプリケーションで閲覧できる電子データのコンテンツでもよい。例えば、図１２に示すように、ドキュメント６０（コンテンツ情報の一例）が３ページに渡る場合であって、アプリケーションの画面７０に既に、表示済みである１ページ目の既表示部分６２や、アプリケーションの画面７０に表示されている２ページ目の表示部分６１から、端末２０のシステム制御部２６は、ステップＳ６のように、ポインタ４５等の軌跡等から注視部分６４を特定する。そして、端末２０のシステム制御部２６は、ステップＳ７のように、注視部分６４から特徴要素を抽出し、ステップＳ９のように、特徴要素に基づき、未表示部分６３の３ページ目のコンテンツを要約する（ステップＳ９）。なお、端末２０のシステム制御部２６は、操作部２４のマウスによるスクロールや、次ページや前ページのコンテンツを表示させるページ操作ボタン４７の操作の履歴等により、ページが表示済みであるか否かを判定する。
【００７５】
また、ステップＳ２において、端末２０の操作部２４や、情報提供サーバ１０のシステム制御部１４は、要約表示等の縮約表示のトリガの取得として、端末２０の操作部２４の操作情報等の入力情報に基づき、一定時間操作等の入力が無く、再度操作等の入力がなされた場合の入力判定情報を取得してもよい。
【００７６】
具体的には、操作部２４からの入力の有無を判定するため、端末２０のシステム制御部２６は、マウスやキーボード等の操作部２４により、Ｗｅｂブラウザ４０が操作されているか否かを判定する。そして、端末２０のシステム制御部２６は、操作部２４からの入力がある場合、操作部２４からの入力が無しの状態になるまで待ちの状態になる。
【００７７】
次に、操作部２４からの入力が無しの状態で、端末２０は、位置座標を取得するため、端末２０のシステム制御部２６は、ステップＳ３のように、コンテンツ情報３０がＷｅｂブラウザ４０に表示されている表示エリア３１のＹ方向の位置座標（Ｙ１、Ｙ２）等を取得する。例えば、端末２０のシステム制御部２６は、ＲＡＭ２６ｃのグラフィック領域の情報等から、コンテンツ情報３０の表示エリア３１等の位置座標を表示位置情報の一例として取得する。
【００７８】
次に、操作部２４からの入力無しの状態が所定時間以上経過したか否かを判定するため、端末２０のシステム制御部２６は、所定時間以上経過していない場合、操作部２４の入力の有無を判定して新しい表示位置情報等を取得する。これは、ユーザが端末２０のアプリケーション等を、離席等せず現在実際に使用しているか等の使用状況をチェックするためである。特に、端末２０のシステム制御部２６は、Ｗｅｂブラウザ４０に対する操作の有無をチェックする。例えば、端末２０のシステム制御部２６はＷｅｂブラウザ４０を開いた状態で、他のウィンドウ画面等で作業していて、Ｗｅｂブラウザ４０に対する操作の有無を判定する。
【００７９】
また、入力手段がカメラのように人の動きを捉えたり、赤外線センサのように人を感知したりする場合、端末２０のシステム制御部２６が、カメラが捉えた画像を解析したり、センサからの情報を判断して、ユーザの使用状況をチェックして、一定時間入力が無く、再度入力がなされたと判断してもよい。
【００８０】
次に、所定時間以上経過した場合、端末２０のシステム制御部２６は、ステップＳ４のように、通信部２１を通して、コンテンツ情報３０の表示エリア３１のＹ方向の位置座標（Ｙ１、Ｙ２）や、注視エリア３４のＹ方向の位置座標（Ｙａ、Ｙｂ）等を情報提供サーバ１０に送信し、情報提供サーバ１０において、ステップＳ５〜ステップＳ１０の処理がされる。
【００８１】
このように、端末２０の操作部２４の操作情報に基づき、一定時間操作が無く、再度操作がなされた場合の操作判定情報を取得し、操作判定情報を取得した場合に、要約情報等の縮約情報を端末へ送信すると、一定時間、マウス等の操作が無ければ、放置していて既に見た内容を忘れていると推定でき、より適切なタイミングに、自動的に要約等の縮約情報を提示することが可能である。
【００８２】
また、端末２０の表示部２３に縮約情報を表示させる情報表示用のプログラムを、Ｗｅｂブラウザ等のエージェントにより端末２０のシステム制御部２６が実行してもよい。この場合、端末２０のシステム制御部２６が、表示部２３に表示させるコンテンツ情報３０のうち、表示部２３に表示されている表示エリア３１を特定するための表示位置情報や、表示エリア３１において注視されている注視エリア３４、３４ａを特定するための操作位置情報を操作部２４から取得し、コンテンツ情報のうち、表示部２３に表示されていない未表示エリア３３を、表示位置情報から特定し、操作位置情報に基づき、注視エリア３４、３４ａを特定し、注視エリア３４、３４ａから特徴要素を抽出し、表示部２３に未だ表示されていないコンテンツ情報の未表示エリア３３を、表示位置情報から特定し、未表示エリア３３に含まれるコンテンツ情報の要約情報等の縮約情報を、特徴要素に基づき生成を生成し、要約情報等の縮約情報を表示部２３に表示させる。特に、これは、コンテンツ情報３０として、ワードプロセッサーに入力している情報等に適用される。また、縮約情報を表示させる等の機能が、Ｗｅｂブラウザ等にアドオンにより追加されてもよい。
【００８３】
また、情報提供サーバ１０のシステム制御部１４は、Ｗｅｂブラウザ４０の画面に、表示エリア３１のコンテンツ上に開かれた要約表示枠４１を表示させ、要約表示枠４１に要約情報３５を表示させるＷｅｂページやプログラムを生成したり、要約情報等の縮約情報を端末２０に送信したりすることにより、要約情報等の縮約情報を表示部２３に表示させる。
【００８４】
また、情報提供サーバ１０のシステム制御部１４が、端末２０の操作部２４の操作情報を端末２０から受信し、操作情報に基づき、一定時間操作が無く、再度操作がなされた否かを判定し、判定結果として再度操作がなされた場合の操作判定情報を取得し、操作判定情報を取得した場合に、要約情報等の縮約情報を端末２０へ送信してもよい。
【００８５】
また、情報提供サーバ１０のシステム制御部１４が、端末２０において測定された、操作部２４によるＷｅｂブラウザ４０におけるスクロールの動きの情報や、表示部２３上を移動するポインタ４５の軌跡４５ａの情報を、端末２０から受信し、ステップＳ１〜ステップＳ４の動作を行ってもよい。
【００８６】
また、情報提供サーバ１０のシステム制御部１４は、ステップＳ８で、未表示エリア３３を特定する際に、特徴要素に基づき、特徴要素に関連する部分にエリア（未表示エリア３３よりも狭いエリア）を限定しておいてもよい。この場合、情報提供サーバ１０のシステム制御部１４は、要約する部分（縮約する部分）が狭くなり、処理速度が速くなる。
【００８７】
次に、端末２０の表示部２３に表示される縮約情報の変形例について、図１３および図１４を用いて説明する。
【００８８】
図１３は、情報表示システム１において縮約情報を表示する動作の変形例を示すシーケンス図である。図１４は、図６のコンテンツ情報における注視エリアの変形例を示す模式図である。
【００８９】
まず、図１３に示すように、端末２０は、ステップＳ１のように、注視エリア特定のための操作位置情報の測定・記憶を行う（ステップＳ２１）。
【００９０】
次に、端末２０は、表示エリア情報を取得し、記憶する（ステップＳ２２）。端末２０のシステム制御部２６は、ステップＳ３のように表示エリア情報を取得し、記憶部２２に記憶する。例えば、図１４に示すように、表示エリア３１のＹ方向の位置座標（Ｙ３、Ｙ４）を取得して、記憶部２２に記憶する。
【００９１】
次に、端末２０は、表示エリアまたは注視エリアが変更されたか否かを判定する（ステップＳ２３）。端末２０のシステム制御部２６は、図１４に示すように、操作部２４によるＷｅｂブラウザ４０におけるスクロール等の動きによる表示エリア３１の変動や、ポインタ８５の動きや軌跡等による注視エリアの変動を検出する。
【００９２】
表示エリアに関して、例えば、端末２０のシステム制御部２６は、記憶部２２に記憶されているスクロールされる前の表示エリアのＹ方向の位置座標（Ｙ１、Ｙ２）と、取得した位置座標（Ｙ３、Ｙ４）とを比較し、所定値以上の位置座標が移動している場合に、表示エリア３１は変更されたと判定する。また、表示幅Ｙｗ（＝Ｙ２−Ｙ１）に対して、表示幅Ｙｗ’（＝Ｙ４−Ｙ３）が所定値以上、変動している場合、端末２０のシステム制御部２６は、表示エリア３１は変更されたと判定してもよい。なお、端末２０のシステム制御部２６は、Ｗｅｂブラウザ４０に対するスクロールがされ始め、所定時間スクロールが止まったと判定した場合、例えば、スクロール信号を操作部２４から受信した後、所定時間スクロール信号が来ない場合に、表示エリア３１が変更されたと判定もよい。
【００９３】
次に注視エリアに関して、例えば、端末２０のシステム制御部２６は、スクロールする前の注視エリア８０を、ポインタの軌跡８５ａの始点（Ｙ＝Ｙｃ）と終点（Ｙ＝Ｙｄ）とから特定し、スクロール後の注視エリア８１を、ポインタの軌跡８５ａの折り返し点（Ｙ＝Ｙｅ）と終点（Ｙ＝Ｙｆ）とから特定する。そして、端末２０のシステム制御部２６は、注視エリア８０のＹ方向の位置座標（Ｙｃ、Ｙｄ）と、注視エリア８１のＹ方向の位置座標（Ｙｅ、Ｙｆ）とを比較し、所定値以上の位置座標が移動している場合に、注視エリアは変更されたと判定する。
【００９４】
なお、図１４において、ポインタ８５から、ポインタ８６へは、マウス等によるスクロールにより、画面が移動したことによる、ポインタの移動で、ポインタ８６から、軌跡８６ａおよび軌跡８７ａを経てポインタ８７の位置に移動し、さらに、軌跡８８ａを経てポインタ８８の位置に移動したとする。
【００９５】
また、端末２０のシステム制御部２６は、ポインタ等の滞在点が変動した場合や、ポインタが移動した場合や、マウス委のクリックのボタンが新たに押された場合に、注視エリアが変更されたと判定してもよい。また、端末２０のシステム制御部２６は、注視エリアが矩形の場合、矩形の四隅の座標が変動した場合に、注視エリアが変更されたと判定してもよい。また、端末２０のシステム制御部２６は、タッチパネルにおいて入力された位置が、所定時間前と異なる場合に、端末２０のシステム制御部２６は、注視エリアが変更されたと判定してもよい。
【００９６】
ここで、注視エリアの変動の例として、注視エリアの拡大や縮小、注視エリアの移動が挙げられる。注視エリアの拡大の例として、注視エリア８０のＹ方向の位置座標（Ｙｃ、Ｙｄ）のＹｄが増加する場合や、Ｙｃが減少する場合が挙げられる。また、注視エリアの移動の例として、注視エリア８０から注視エリア８１への移動が挙げられる。図１４では、注視エリア８０から注視エリア８１の場合、重なるエリアが無いが、重なるエリアがあってもよい。
【００９７】
次に、端末２０は、表示エリア・注視エリアの位置情報を送信する（ステップＳ２４）。端末２０のシステム制御部２６は、ステップＳ４のように、
コンテンツ情報３０の表示エリア３１のＹ方向の位置座標（Ｙ３、Ｙ４）や、注視エリア８１のＹ方向の位置座標（Ｙｅ、Ｙｆ）等の操作位置情報を情報提供サーバ１０に送信する。さらに、端末２０のシステム制御部２６は、ポインタ８６、８７、８８が示す位置のＸ座標値およびＹ座標値の座標情報や、軌跡８６ａ、８７ａ、８８ａの始点、終点、軌跡の折り返し点のような曲率半径が所定値以下の位置のＸ座標値およびＹ座標値の座標情報や、軌跡８６ａ、８７ａ、８８ａ自体の座標情報を送信してもよい。また、端末２０のシステム制御部２６は、スクロール後の注視エリア８１の操作位置情報と共に、スクロール前の注視エリア８０のＹ方向のＹ方向の位置座標（Ｙｃ、Ｙｄ）の操作位置情報も送信してもよい。
【００９８】
なお、端末２０のシステム制御部２６は、表示エリアの差分情報や、注視エリアの差分情報を送信してもよい。例えば、端末２０のシステム制御部２６は、表示エリア３１のＹ方向の差分位置座標（Ｙ３−Ｙ１、Ｙ４−Ｙ２）や、注視エリアのＹ方向の差分位置座標（Ｙｅ−Ｙｃ、Ｙｆ−Ｙｄ）等の差分情報を送信する。さらに、端末２０のシステム制御部２６は、表示エリア３１に対する注視エリア８１の差分情報を送信してもよい。例えば、表示エリア３１のＹ方向の始点Ｙ３を基準にした差分位置座標（Ｙｅ−Ｙ３、Ｙｆ−Ｙ３）の差分情報を送信してもよい。
【００９９】
次に、情報提供サーバ１０は、ステップＳ５のように、表示エリア・注視エリアの位置情報を受信する（ステップＳ２５）。
【０１００】
次に、情報提供サーバ１０は、注視エリアを特定する（ステップＳ２６）。具体的に、情報提供サーバ１０のシステム制御部１４は、Ｙ方向の位置座標（Ｙｅ、Ｙｆ）のような操作位置情報から、注視エリア８１を特定する。さらに、情報提供サーバ１０のシステム制御部１４は、図１４に示すように、ポインタ８６、８７の軌跡８６ａ、８７ａから、注視エリア８１ａを特定してもよい。例えば、情報提供サーバ１０のシステム制御部１４は、ポインタが所定時間滞在していた位置の一例である軌跡８７ａの終点（ポインタ８７が示す位置）から上方（Ｙ方向）または近傍にあるテキスト領域または画像領域等の空白でない領域を囲う矩形エリア（注視エリア８１ａ）を、軌跡８７ａの終点の座標情報に基づき、画像処理等してコンテンツ情報３０から特定してもよい。また、情報提供サーバ１０のシステム制御部１４は、ポインタ８８が示していた位置から下方（−Ｙ方向）または近傍にあるテキスト領域等を囲う矩形エリアから、注視エリア８２ａを特定してもよい。そして、情報提供サーバ１０のシステム制御部１４は、特定された注視エリア８２ａから、注視エリア８２を求めてもよい。なお、情報提供サーバ１０のシステム制御部１４は、Ｙポインタ８５が示していた位置から上方または近傍にあるテキスト領域等を囲う矩形エリアから、注視エリア８０ａを特定してもよい。
【０１０１】
次に、情報提供サーバ１０は、ステップＳ７のように、注視エリア８１、８２（注視エリア８１ａ、８２ａ）から特徴要素を抽出する（ステップＳ２７）。なお、情報提供サーバ１０のシステム制御部１４は、注視エリア８１（８１ａ）と注視エリア８２（８２ａ）の両方の注視エリアから、特徴要素を抽出してもよいし、一方の注視エリアを優先して特徴要素を抽出してもよい。例えば、情報提供サーバ１０のシステム制御部１４は、注視エリア８１（８１ａ）よりも後から注視された注視エリア８２（８２ａ）のみから、特徴要素を抽出する。図１４と異なるが、注視エリア８１（８１ａ）と注視エリア８２（８２ａ）とに重なりがある場合、注視エリア８１（８１ａ）と注視エリア８２（８２ａ）とが重なったエリアを、特徴要素を抽出する注視エリアとしてもよい。これらのように、特徴要素を抽出する注視エリアを狭めることで、情報量を絞ることができ、よりユーザの好みを反映させた情報を表示させることができる。
【０１０２】
次に、情報提供サーバ１０は、ステップＳ８のように、未表示エリアを特定する（ステップＳ２８）。
【０１０３】
次に、情報提供サーバ１０は、ステップＳ９のように、特徴要素に基づき未表示エリアのコンテンツを縮約する（ステップＳ２９）。
【０１０４】
次に、情報提供サーバ１０は、ステップＳ１０ように、縮約情報を送信する（ステップＳ３０）。
【０１０５】
次に、端末２０は、ステップＳ１１のように、縮約情報を表示する（ステップＳ３１）。
【０１０６】
以上、情報表示システム１が、操作位置情報に基づき、表示部分または注視部分が変更されたか否かを判定し、表示部分（表示エリア３１）または注視部分（注視エリア８０）が変更された場合に、縮約情報を生成し、縮約情報を表示させる場合、ユーザが縮約情報の表示の指定をしなくても、自動的に、画面内に表示されていない部分において、表示されている部分と関連した内容の箇所を容易に確認できる。
【０１０７】
なお、以上の実施形態および変形例は、端末２０単独でも実施されてもよい。例えば、端末２０のシステム制御部２６が、ステップＳ６（Ｓ２６）の注視エリアの特定し（注視部分特定手段）、ステップＳ７（Ｓ２７）の注視エリアから特徴要素を抽出し（特徴要素抽出手段）、ステップＳ８（Ｓ２８）の未表示エリアを特定し（未表示部分特定手段）、ステップＳ９（Ｓ２９）特徴要素に基づき未表示エリアのコンテンツを縮約して（縮約情報生成手段）もよい。
【０１０８】
また、以上のような実施形態および変形例は、端末２０のＷｅｂブラウザにプログラムをアドオンすることにより実現されもよい。例えば、アドオンプログラムは、表示手段に表示させるコンテンツ情報のうち、表示手段に表示されているコンテンツ情報の表示部分を特定するための表示位置情報を取得する表示位置情報取得ステップ（ステップＳ３、ステップＳ２３に対応）と、表示部分において、ユーザにより画面操作された操作位置に関する操作位置情報を取得する操作位置情報取得ステップ（ステップＳ１、ステップＳ２１に対応）と、操作位置情報に基づき、表示部分においてユーザによって注視された注視部分を特定する注視部分特定ステップ（ステップＳ６、ステップＳ２３に対応）と、表示手段に未だ表示されていないコンテンツ情報の未表示部分を、表示位置情報から特定する未表示部分特定ステップ（ステップＳ８、ステップＳ８に対応）と、注視部分から抽出した特徴要素に基づいて未表示部分に含まれるコンテンツ情報を縮約した縮約情報を、表示手段に表示させる縮約情報表示ステップ（ステップＳ１１、ステップＳ３１に対応）と、を実行させるプログラムでもよい。この場合、例えば、情報提供サーバ１０が、注視部分から特徴要素を抽出する特徴要素抽出ステップと、未表示部分に含まれるコンテンツ情報の縮約情報を特徴要素に基づき生成する縮約情報生成ステップとを実行する。
【０１０９】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１１０】
１：情報表示システム
３：ネットワーク
１０：情報提供サーバ（情報提供装置）
１２ａ：コンテンツＤＢ
１２ｂ：縮約情報ＤＢ
２０：端末（情報表示装置）
２３：表示部（表示手段）
２４：操作部
３０、５０、６０：コンテンツ情報
３１：表示エリア（表示部分）
３３：未表示エリア（未表示部分）
３４、３４ａ、８０、８０ａ、８１、８１ａ、８２、８２ａ：注視エリア（注視部分）
３５：縮約情報
５２：Ｗｅｂページ（表示部分）
５３、５４、５５、６３：Ｗｅｂページ（未表示部分）
６１：表示部分
６３：未表示部分
６４：注視部分
【図１】
2012002209.tif 000003
【図２】
2012002209.tif 000004
【図３】
2012002209.tif 000005
【図５】
2012002209.tif 000006
【図１２】
2012002209.tif 000007
【図１３】
2012002209.tif 000008
【図４】
2012002209.tif 000009
【図６】
2012002209.tif 000010
【図７】
2012002209.tif 000011
【図８】
2012002209.tif 000012
【図９】
2012002209.tif 000013
【図１０】
2012002209.tif 000014
【図１１】
2012002209.tif 000015
【図１４】
2012002209.tif 000016
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
コンテンツ情報を表示可能な表示手段と、
前記表示手段に表示させるコンテンツ情報のうち、前記表示手段に表示されている前記コンテンツ情報の表示部分を特定するための表示位置情報を取得する表示位置情報取得手段と、
前記表示部分において、ユーザにより画面操作された操作位置に関する操作位置情報を取得する操作位置情報取得手段と、
前記操作位置情報に基づき、前記表示部分においてユーザによって注視された注視部分を特定する注視部分特定手段と、
前記注視部分から当該注視部分内のコンテンツの特徴要素を抽出する特徴要素抽出手段と、
前記表示手段に未だ表示されていないとされる前記コンテンツ情報の未表示部分を、前記表示位置情報から特定する未表示部分特定手段と、
前記未表示部分に含まれるコンテンツ情報を縮約した縮約情報を、前記特徴要素に基づき生成する縮約情報生成手段と、
前記縮約情報を前記表示手段に表示させる縮約情報表示手段と、
を備えた情報表示システム。
【請求項２】
請求項１に記載の情報表示システムにおいて、
前記未表示部分特定手段が、前記表示位置情報と、前記表示手段における前記コンテンツ情報の初期の表示部分を示す初期表示位置情報と、に基づき、前記未表示部分を特定することを特徴とする情報表示システム。
【請求項３】
請求項１または請求項２に記載の情報表示システムにおいて、
入力を受け付ける入力手段と、
前記入力手段の入力情報に基づき、一定時間入力が無く、再度入力がなされた場合の入力判定情報を取得する入力判定情報取得手段と、を更に備え、
前記縮約情報表示手段が、前記入力判定情報を取得した場合に、前記表示手段に表示させることを特徴とする情報表示システム。
【請求項４】
請求項１から請求項３のいずれか１項に記載の情報表示システムにおいて、
前記操作位置情報に基づき、前記表示部分または前記注視部分が変更されたか否かを判定する判定手段を更に備え、
前記表示部分または前記注視部分が変更された場合に、前記縮約情報生成手段が前記縮約情報を生成し、前記縮約情報表示手段が、前記縮約情報を表示させることを特徴とする情報表示システム。
【請求項５】
情報を表示する情報表示方法において、
表示手段に表示させるコンテンツ情報のうち、前記表示手段に表示されている前記コンテンツ情報の表示部分を特定するための表示位置情報を取得する表示位置情報取得ステップと、
前記表示部分において、ユーザにより画面操作された操作位置に関する操作位置情報を取得する操作位置情報取得ステップと、
前記操作位置情報に基づき、前記表示部分においてユーザによって注視された注視部分を特定する注視部分特定ステップと、
前記注視部分から当該注視部分内のコンテンツの特徴要素を抽出する特徴要素抽出ステップと、
前記表示手段に未だ表示されていないとされる前記コンテンツ情報の未表示部分を、前記表示位置情報から特定する未表示部分特定ステップと、
前記未表示部分に含まれるコンテンツ情報の縮約情報を、前記特徴要素に基づき生成する縮約情報生成ステップと、
前記縮約情報を前記表示手段に表示させる縮約情報表示ステップと、
を有する情報表示方法。
【請求項６】
コンピュータに、
表示手段に表示させるコンテンツ情報のうち、前記表示手段に表示されている前記コンテンツ情報の表示部分を特定するための表示位置情報を取得する表示位置情報取得ステップと、
前記表示部分において、ユーザにより画面操作された操作位置に関する操作位置情報を取得する操作位置情報取得ステップと、
前記操作位置情報に基づき、前記表示部分においてユーザによって注視された注視部分を特定する注視部分特定ステップと、
前記表示手段に未だ表示されていないとされる前記コンテンツ情報の未表示部分を、前記表示位置情報から特定する未表示部分特定ステップと、
前記注視部分から抽出した当該注視部分内のコンテンツの特徴要素に基づいて前記未表示部分に含まれるコンテンツ情報を縮約した縮約情報を、前記表示手段に表示させる縮約情報表示ステップと、
を実行させる情報表示プログラム。
【請求項７】
コンピュータに、
表示手段に表示させるコンテンツ情報のうち、前記表示手段に表示されている前記コンテンツ情報の表示部分を特定するための表示位置情報を取得する表示位置情報取得ステップと、
前記表示部分において、ユーザにより画面操作された操作位置に関する操作位置情報を取得する操作位置情報取得ステップと、
前記操作位置情報に基づき、前記表示部分においてユーザによって注視された注視部分を特定する注視部分特定ステップと、
前記表示手段に未だ表示されていないとされる前記コンテンツ情報の未表示部分を、前記表示位置情報から特定する未表示部分特定ステップと、
前記注視部分から抽出した当該注視部分内のコンテンツの特徴要素に基づいて前記未表示部分に含まれるコンテンツ情報を縮約した縮約情報を、前記表示手段に表示させる縮約情報表示ステップと、
を実行させる情報表示プログラムであって、
前記情報表示プログラムがコンピュータ読み取り可能に記録されている記録媒体。
【請求項８】
端末の表示部に表示させるコンテンツ情報のうち、前記表示部に表示されている前記コンテンツ情報の表示部分を特定するための表示位置情報を前記端末から受信する表示位置情報受信手段と、
前記表示部分において、ユーザにより画面操作された操作位置に関する操作位置情報を前記端末から受信する操作位置情報受信手段と、
前記操作位置情報に基づき、前記表示部分においてユーザによって注視された注視部分を特定する注視部分特定手段と、
前記注視部分から当該注視部分内のコンテンツの特徴要素を抽出する特徴要素抽出手段と、
前記表示部に未だ表示されていないとされる前記コンテンツ情報の未表示部分を、前記表示位置情報から特定する未表示部分特定手段と、
前記未表示部分に含まれるコンテンツ情報を縮約した縮約情報を、前記特徴要素に基づき生成する縮約情報生成手段と、
前記縮約情報を前記端末へ送信する縮約情報送信手段と、
を備えた情報提供装置。
【請求項９】
表示部に表示させるコンテンツ情報のうち、前記表示部に表示されている前記コンテンツ情報の表示部分を特定するための表示位置情報を取得する表示位置情報取得手段と、
前記表示部分において、ユーザにより画面操作された操作位置に関する操作位置情報を、操作部から取得する操作位置情報取得手段と、
前記操作位置情報に基づき、前記表示部分においてユーザによって注視された注視部分を特定する注視部分特定手段と、
前記注視部分から当該注視部分内のコンテンツの特徴要素を抽出する特徴要素抽出手段と、
前記表示部に未だ表示されていないとされる前記コンテンツ情報の未表示部分を、前記表示位置情報から特定する未表示部分特定手段と、
前記未表示部分に含まれるコンテンツ情報を縮約した縮約情報を、前記特徴要素に基づき生成する縮約情報生成手段と、
前記縮約情報を前記表示部に表示させる縮約情報表示手段と、
を備えた情報表示装置。
【手続補正２】
【補正対象書類名】明細書
【補正対象項目名】０００６
【補正方法】変更
【補正の内容】
【０００６】
上記課題を解決するために、請求項１に記載の発明は、コンテンツ情報を表示可能な表示手段と、前記表示手段に表示させるコンテンツ情報のうち、前記表示手段に表示されている前記コンテンツ情報の表示部分を特定するための表示位置情報を取得する表示位置情報取得手段と、前記表示部分において、ユーザにより画面操作された操作位置に関する操作位置情報を取得する操作位置情報取得手段と、前記操作位置情報に基づき、前記表示部分においてユーザによって注視された注視部分を特定する注視部分特定手段と、前記注視部分から当該注視部分内のコンテンツの特徴要素を抽出する特徴要素抽出手段と、前記表示手段に未だ表示されていないとされる前記コンテンツ情報の未表示部分を、前記表示位置情報から特定する未表示部分特定手段と、前記未表示部分に含まれるコンテンツ情報を縮約した縮約情報を、前記特徴要素に基づき生成する縮約情報生成手段と、前記縮約情報を前記表示手段に表示させる縮約情報表示手段と、を備える。
【手続補正３】
【補正対象書類名】明細書
【補正対象項目名】００１０
【補正方法】変更
【補正の内容】
【００１０】
請求項５に記載の発明は、情報を表示する情報表示方法において、表示手段に表示させるコンテンツ情報のうち、前記表示手段に表示されている前記コンテンツ情報の表示部分を特定するための表示位置情報を取得する表示位置情報取得ステップと、前記表示部分において、ユーザにより画面操作された操作位置に関する操作位置情報を取得する操作位置情報取得ステップと、前記操作位置情報に基づき、前記表示部分においてユーザによって注視された注視部分を特定する注視部分特定ステップと、前記注視部分から当該注視部分内のコンテンツの特徴要素を抽出する特徴要素抽出ステップと、前記表示手段に未だ表示されていないとされる前記コンテンツ情報の未表示部分を、前記表示位置情報から特定する未表示部分特定ステップと、前記未表示部分に含まれるコンテンツ情報の縮約情報を、前記特徴要素に基づき生成する縮約情報生成ステップと、前記縮約情報を前記表示手段に表示させる縮約情報表示ステップと、を有する。
【手続補正４】
【補正対象書類名】明細書
【補正対象項目名】００１１
【補正方法】変更
【補正の内容】
【００１１】
請求項６に記載の発明は、コンピュータに、表示手段に表示させるコンテンツ情報のうち、前記表示手段に表示されている前記コンテンツ情報の表示部分を特定するための表示位置情報を取得する表示位置情報取得ステップと、前記表示部分において、ユーザにより画面操作された操作位置に関する操作位置情報を取得する操作位置情報取得ステップと、前記操作位置情報に基づき、前記表示部分においてユーザによって注視された注視部分を特定する注視部分特定ステップと、前記表示手段に未だ表示されていないとされる前記コンテンツ情報の未表示部分を、前記表示位置情報から特定する未表示部分特定ステップと、前記注視部分から抽出した当該注視部分内のコンテンツの特徴要素に基づいて前記未表示部分に含まれるコンテンツ情報を縮約した縮約情報を、前記表示手段に表示させる縮約情報表示ステップと、を実行させる。
【手続補正５】
【補正対象書類名】明細書
【補正対象項目名】００１２
【補正方法】変更
【補正の内容】
【００１２】
請求項７に記載の発明は、コンピュータに、表示手段に表示させるコンテンツ情報のうち、前記表示手段に表示されている前記コンテンツ情報の表示部分を特定するための表示位置情報を取得する表示位置情報取得ステップと、前記表示部分において、ユーザにより画面操作された操作位置に関する操作位置情報を取得する操作位置情報取得ステップと、前記操作位置情報に基づき、前記表示部分においてユーザによって注視された注視部分を特定する注視部分特定ステップと、前記表示手段に未だ表示されていないとされる前記コンテンツ情報の未表示部分を、前記表示位置情報から特定する未表示部分特定ステップと、前記注視部分から抽出した当該注視部分内のコンテンツの特徴要素に基づいて前記未表示部分に含まれるコンテンツ情報を縮約した縮約情報を、前記表示手段に表示させる縮約情報表示ステップと、を実行させる情報表示プログラムであって、前記情報表示プログラムがコンピュータ読み取り可能に記録されている。
【手続補正６】
【補正対象書類名】明細書
【補正対象項目名】００１３
【補正方法】変更
【補正の内容】
【００１３】
請求項８に記載の発明は、端末の表示部に表示させるコンテンツ情報のうち、前記表示部に表示されている前記コンテンツ情報の表示部分を特定するための表示位置情報を前記端末から受信する表示位置情報受信手段と、前記表示部分において、ユーザにより画面操作された操作位置に関する操作位置情報を前記端末から受信する操作位置情報受信手段と、前記操作位置情報に基づき、前記表示部分においてユーザによって注視された注視部分を特定する注視部分特定手段と、前記注視部分から当該注視部分内のコンテンツの特徴要素を抽出する特徴要素抽出手段と、前記表示部に未だ表示されていないとされる前記コンテンツ情報の未表示部分を、前記表示位置情報から特定する未表示部分特定手段と、前記未表示部分に含まれるコンテンツ情報を縮約した縮約情報を、前記特徴要素に基づき生成する縮約情報生成手段と、前記縮約情報を前記端末へ送信する縮約情報送信手段と、を備える。
【手続補正７】
【補正対象書類名】明細書
【補正対象項目名】００１４
【補正方法】変更
【補正の内容】
【００１４】
請求項９に記載の発明は、表示部に表示させるコンテンツ情報のうち、前記表示部に表示されている前記コンテンツ情報の表示部分を特定するための表示位置情報を取得する表示位置情報取得手段と、前記表示部分において、ユーザにより画面操作された操作位置に関する操作位置情報を、操作部から取得する操作位置情報取得手段と、前記操作位置情報に基づき、前記表示部分においてユーザによって注視された注視部分を特定する注視部分特定手段と、前記注視部分から当該注視部分内のコンテンツの特徴要素を抽出する特徴要素抽出手段と、前記表示部に未だ表示されていないとされる前記コンテンツ情報の未表示部分を、前記表示位置情報から特定する未表示部分特定手段と、前記未表示部分に含まれるコンテンツ情報を縮約した縮約情報を、前記特徴要素に基づき生成する縮約情報生成手段と、前記縮約情報を前記表示部に表示させる縮約情報表示手段と、を備える。
【手続補正８】
【補正対象書類名】明細書
【補正対象項目名】００１５
【補正方法】変更
【補正の内容】
【００１５】
本発明によれば、画面内に収まらない分量のコンテンツ情報がある場合、画面内に表示されていない部分において、ユーザによって注視された部分と関連した内容を容易に確認できる。
【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
コンテンツ情報を表示可能な表示手段と、
前記表示手段に表示させるコンテンツ情報のうち、前記表示手段に表示されている前記コンテンツ情報の表示部分を特定するための表示位置情報を取得する表示位置情報取得手段と、
前記表示部分において、ユーザにより画面操作された操作位置に関する操作位置情報を取得する操作位置情報取得手段と、
前記操作位置情報に基づき、前記表示部分においてユーザによって注視された注視部分を特定する注視部分特定手段と、
前記注視部分から当該注視部分内のコンテンツの特徴要素を抽出する特徴要素抽出手段と、
前記表示手段に未だ表示されていないと推定される前記コンテンツ情報の未表示部分を、前記表示位置情報から特定する未表示部分特定手段と、
前記未表示部分に含まれるコンテンツ情報を縮約した縮約情報を、前記特徴要素に基づき生成する縮約情報生成手段と、
前記縮約情報を前記表示手段に表示させる縮約情報表示手段と、
を備えた情報表示システム。
【請求項２】
請求項１に記載の情報表示システムにおいて、
前記未表示部分特定手段が、前記表示位置情報と、前記表示手段における前記コンテンツ情報の初期の表示部分を示す初期表示位置情報と、に基づき、前記未表示部分を特定することを特徴とする情報表示システム。
【請求項３】
請求項１または請求項２に記載の情報表示システムにおいて、
入力を受け付ける入力手段と、
前記入力手段の入力情報に基づき、一定時間入力が無く、再度入力がなされた場合の入力判定情報を取得する入力判定情報取得手段と、を更に備え、
前記縮約情報表示手段が、前記入力判定情報を取得した場合に、前記表示手段に表示させることを特徴とする情報表示システム。
【請求項４】
請求項１から請求項３のいずれか１項に記載の情報表示システムにおいて、
前記操作位置情報に基づき、前記表示部分または前記注視部分が変更されたか否かを判定する判定手段を更に備え、
前記表示部分または前記注視部分が変更された場合に、前記縮約情報生成手段が前記縮約情報を生成し、前記縮約情報表示手段が、前記縮約情報を表示させることを特徴とする情報表示システム。
【請求項５】
情報を表示する情報表示方法において、
表示手段に表示させるコンテンツ情報のうち、前記表示手段に表示されている前記コンテンツ情報の表示部分を特定するための表示位置情報を取得する表示位置情報取得ステップと、
前記表示部分において、ユーザにより画面操作された操作位置に関する操作位置情報を取得する操作位置情報取得ステップと、
前記操作位置情報に基づき、前記表示部分においてユーザによって注視された注視部分を特定する注視部分特定ステップと、
前記注視部分から当該注視部分内のコンテンツの特徴要素を抽出する特徴要素抽出ステップと、
前記表示手段に未だ表示されていないと推定される前記コンテンツ情報の未表示部分を、前記表示位置情報から特定する未表示部分特定ステップと、
前記未表示部分に含まれるコンテンツ情報の縮約情報を、前記特徴要素に基づき生成する縮約情報生成ステップと、
前記縮約情報を前記表示手段に表示させる縮約情報表示ステップと、
を有する情報表示方法。
【請求項６】
コンピュータに、
表示手段に表示させるコンテンツ情報のうち、前記表示手段に表示されている前記コンテンツ情報の表示部分を特定するための表示位置情報を取得する表示位置情報取得ステップと、
前記表示部分において、ユーザにより画面操作された操作位置に関する操作位置情報を取得する操作位置情報取得ステップと、
前記操作位置情報に基づき、前記表示部分においてユーザによって注視された注視部分を特定する注視部分特定ステップと、
前記表示手段に未だ表示されていないと推定される前記コンテンツ情報の未表示部分を、前記表示位置情報から特定する未表示部分特定ステップと、
前記注視部分から抽出した当該注視部分内のコンテンツの特徴要素に基づいて前記未表示部分に含まれるコンテンツ情報を縮約した縮約情報を、前記表示手段に表示させる縮約情報表示ステップと、
を実行させる情報表示プログラム。
【請求項７】
コンピュータに、
表示手段に表示させるコンテンツ情報のうち、前記表示手段に表示されている前記コンテンツ情報の表示部分を特定するための表示位置情報を取得する表示位置情報取得ステップと、
前記表示部分において、ユーザにより画面操作された操作位置に関する操作位置情報を取得する操作位置情報取得ステップと、
前記操作位置情報に基づき、前記表示部分においてユーザによって注視された注視部分を特定する注視部分特定ステップと、
前記表示手段に未だ表示されていないと推定される前記コンテンツ情報の未表示部分を、前記表示位置情報から特定する未表示部分特定ステップと、
前記注視部分から抽出した当該注視部分内のコンテンツの特徴要素に基づいて前記未表示部分に含まれるコンテンツ情報を縮約した縮約情報を、前記表示手段に表示させる縮約情報表示ステップと、
を実行させる情報表示プログラムであって、
前記情報表示プログラムがコンピュータ読み取り可能に記録されている記録媒体。
【請求項８】
端末の表示部に表示させるコンテンツ情報のうち、前記表示部に表示されている前記コンテンツ情報の表示部分を特定するための表示位置情報を前記端末から受信する表示位置情報受信手段と、
前記表示部分において、ユーザにより画面操作された操作位置に関する操作位置情報を前記端末から受信する操作位置情報受信手段と、
前記操作位置情報に基づき、前記表示部分においてユーザによって注視された注視部分を特定する注視部分特定手段と、
前記注視部分から当該注視部分内のコンテンツの特徴要素を抽出する特徴要素抽出手段と、
前記表示部に未だ表示されていないと推定される前記コンテンツ情報の未表示部分を、前記表示位置情報から特定する未表示部分特定手段と、
前記未表示部分に含まれるコンテンツ情報を縮約した縮約情報を、前記特徴要素に基づき生成する縮約情報生成手段と、
前記縮約情報を前記端末へ送信する縮約情報送信手段と、
を備えた情報提供装置。
【請求項９】
表示部に表示させるコンテンツ情報のうち、前記表示部に表示されている前記コンテンツ情報の表示部分を特定するための表示位置情報を取得する表示位置情報取得手段と、
前記表示部分において、ユーザにより画面操作された操作位置に関する操作位置情報を、操作部から取得する操作位置情報取得手段と、
前記操作位置情報に基づき、前記表示部分においてユーザによって注視された注視部分を特定する注視部分特定手段と、
前記注視部分から当該注視部分内のコンテンツの特徴要素を抽出する特徴要素抽出手段と、
前記表示部に未だ表示されていないと推定される前記コンテンツ情報の未表示部分を、前記表示位置情報から特定する未表示部分特定手段と、
前記未表示部分に含まれるコンテンツ情報を縮約した縮約情報を、前記特徴要素に基づき生成する縮約情報生成手段と、
前記縮約情報を前記表示部に表示させる縮約情報表示手段と、
を備えた情報表示装置。
【手続補正２】
【補正対象書類名】明細書
【補正対象項目名】０００６
【補正方法】変更
【補正の内容】
【０００６】
上記課題を解決するために、請求項１に記載の発明は、コンテンツ情報を表示可能な表示手段と、前記表示手段に表示させるコンテンツ情報のうち、前記表示手段に表示されている前記コンテンツ情報の表示部分を特定するための表示位置情報を取得する表示位置情報取得手段と、前記表示部分において、ユーザにより画面操作された操作位置に関する操作位置情報を取得する操作位置情報取得手段と、前記操作位置情報に基づき、前記表示部分においてユーザによって注視された注視部分を特定する注視部分特定手段と、前記注視部分から当該注視部分内のコンテンツの特徴要素を抽出する特徴要素抽出手段と、前記表示手段に未だ表示されていないと推定される前記コンテンツ情報の未表示部分を、前記表示位置情報から特定する未表示部分特定手段と、前記未表示部分に含まれるコンテンツ情報を縮約した縮約情報を、前記特徴要素に基づき生成する縮約情報生成手段と、前記縮約情報を前記表示手段に表示させる縮約情報表示手段と、を備える。
【手続補正３】
【補正対象書類名】明細書
【補正対象項目名】００１０
【補正方法】変更
【補正の内容】
【００１０】
請求項５に記載の発明は、情報を表示する情報表示方法において、表示手段に表示させるコンテンツ情報のうち、前記表示手段に表示されている前記コンテンツ情報の表示部分を特定するための表示位置情報を取得する表示位置情報取得ステップと、前記表示部分において、ユーザにより画面操作された操作位置に関する操作位置情報を取得する操作位置情報取得ステップと、前記操作位置情報に基づき、前記表示部分においてユーザによって注視された注視部分を特定する注視部分特定ステップと、前記注視部分から当該注視部分内のコンテンツの特徴要素を抽出する特徴要素抽出ステップと、前記表示手段に未だ表示されていないと推定される前記コンテンツ情報の未表示部分を、前記表示位置情報から特定する未表示部分特定ステップと、前記未表示部分に含まれるコンテンツ情報の縮約情報を、前記特徴要素に基づき生成する縮約情報生成ステップと、前記縮約情報を前記表示手段に表示させる縮約情報表示ステップと、を有する。
【手続補正４】
【補正対象書類名】明細書
【補正対象項目名】００１１
【補正方法】変更
【補正の内容】
【００１１】
請求項６に記載の発明は、コンピュータに、表示手段に表示させるコンテンツ情報のうち、前記表示手段に表示されている前記コンテンツ情報の表示部分を特定するための表示位置情報を取得する表示位置情報取得ステップと、前記表示部分において、ユーザにより画面操作された操作位置に関する操作位置情報を取得する操作位置情報取得ステップと、前記操作位置情報に基づき、前記表示部分においてユーザによって注視された注視部分を特定する注視部分特定ステップと、前記表示手段に未だ表示されていないと推定される前記コンテンツ情報の未表示部分を、前記表示位置情報から特定する未表示部分特定ステップと、前記注視部分から抽出した当該注視部分内のコンテンツの特徴要素に基づいて前記未表示部分に含まれるコンテンツ情報を縮約した縮約情報を、前記表示手段に表示させる縮約情報表示ステップと、を実行させる。
【手続補正５】
【補正対象書類名】明細書
【補正対象項目名】００１２
【補正方法】変更
【補正の内容】
【００１２】
請求項７に記載の発明は、コンピュータに、表示手段に表示させるコンテンツ情報のうち、前記表示手段に表示されている前記コンテンツ情報の表示部分を特定するための表示位置情報を取得する表示位置情報取得ステップと、前記表示部分において、ユーザにより画面操作された操作位置に関する操作位置情報を取得する操作位置情報取得ステップと、前記操作位置情報に基づき、前記表示部分においてユーザによって注視された注視部分を特定する注視部分特定ステップと、前記表示手段に未だ表示されていないと推定される前記コンテンツ情報の未表示部分を、前記表示位置情報から特定する未表示部分特定ステップと、前記注視部分から抽出した当該注視部分内のコンテンツの特徴要素に基づいて前記未表示部分に含まれるコンテンツ情報を縮約した縮約情報を、前記表示手段に表示させる縮約情報表示ステップと、を実行させる情報表示プログラムであって、前記情報表示プログラムがコンピュータ読み取り可能に記録されている。
【手続補正６】
【補正対象書類名】明細書
【補正対象項目名】００１３
【補正方法】変更
【補正の内容】
【００１３】
請求項８に記載の発明は、端末の表示部に表示させるコンテンツ情報のうち、前記表示部に表示されている前記コンテンツ情報の表示部分を特定するための表示位置情報を前記端末から受信する表示位置情報受信手段と、前記表示部分において、ユーザにより画面操作された操作位置に関する操作位置情報を前記端末から受信する操作位置情報受信手段と、前記操作位置情報に基づき、前記表示部分においてユーザによって注視された注視部分を特定する注視部分特定手段と、前記注視部分から当該注視部分内のコンテンツの特徴要素を抽出する特徴要素抽出手段と、前記表示部に未だ表示されていないと推定される前記コンテンツ情報の未表示部分を、前記表示位置情報から特定する未表示部分特定手段と、前記未表示部分に含まれるコンテンツ情報を縮約した縮約情報を、前記特徴要素に基づき生成する縮約情報生成手段と、前記縮約情報を前記端末へ送信する縮約情報送信手段と、を備える。
【手続補正７】
【補正対象書類名】明細書
【補正対象項目名】００１４
【補正方法】変更
【補正の内容】
【００１４】
請求項９に記載の発明は、表示部に表示させるコンテンツ情報のうち、前記表示部に表示されている前記コンテンツ情報の表示部分を特定するための表示位置情報を取得する表示位置情報取得手段と、前記表示部分において、ユーザにより画面操作された操作位置に関する操作位置情報を、操作部から取得する操作位置情報取得手段と、前記操作位置情報に基づき、前記表示部分においてユーザによって注視された注視部分を特定する注視部分特定手段と、前記注視部分から当該注視部分内のコンテンツの特徴要素を抽出する特徴要素抽出手段と、前記表示部に未だ表示されていないと推定される前記コンテンツ情報の未表示部分を、前記表示位置情報から特定する未表示部分特定手段と、前記未表示部分に含まれるコンテンツ情報を縮約した縮約情報を、前記特徴要素に基づき生成する縮約情報生成手段と、前記縮約情報を前記表示部に表示させる縮約情報表示手段と、を備える。
【国際調査報告】
2012002209.tif 000017
2012002209.tif 000018
2012002209.tif 000019